(57)【要約】【課題】印刷によらず、型成形によって、安価で、高速で、かつ、衛生的であるメリットを失わないで製造可能であると共に、計量する計量線を有するカップケースを得る。【解決手段】シートが型成形されて、側壁（２）と底部（３）とが一体となったカップケース（１）において、底部（３）に平行な面を境に、側壁（２）の上下で折り罫を非連続的に変化させ、その変化した折り罫の境界線を計量線（４）としたことを特徴とするカップケースである。【選択図】図２
2018083644.tif 000002
【特許請求の範囲】
【請求項１】
シートが型成形されて、側壁と底部とが一体となったカップケースにおいて、
底部に平行な面を境に、側壁の上下で折り罫を非連続的に変化させ、
その変化した折り罫の境界線を計量線としたことを特徴とするカップケース。
【請求項２】
側壁が縦の折り罫線で形成され、底部に平行な面を境に、側壁上側の折り罫線に対し、それぞれ下側の折り罫線を複数の縦罫線で形成していることを特徴とする請求項１に記載のカップケース。
【請求項３】
側壁が縦の折り罫線で形成され、底部に平行な面を境に、側壁上側に上側折り罫線を有し、底部側には、前記上側折り罫線を延長した延長罫線と共に、前記罫線の脇に、新たな縦の短罫線を有することを特徴とする請求項１に記載のカップケース。
【請求項４】
側壁が縦の折り罫線で形成され、底部に平行な面を境に、側壁上側の折り罫線に対し、折り罫線の位置を周縁方向でずれた折り罫線で形成していることを特徴とする請求項１に記載のカップケース。
【請求項５】
側壁が縦の折り罫線で形成され、底部に平行な面を境に、側壁上側の折り罫線に対し、折り罫線の加工角度を周縁方向で傾斜した折り罫線で形成していることを特徴とする請求項１に記載のカップケース。
【発明の詳細な説明】
【技術分野】
【０００１】
本発明は、ひだ状の周壁と底部とからなり、基材シートに罫線を入れて成形されるカップ状のケースで、計量線を設けて、簡易に計量できるケースに関する。
【背景技術】
【０００２】
カップ状のケースは、一枚のシート基材を型に入れて成形するだけで、容易に製造できるので、高速で、かつ、安価に製造できるだけではなく、接着剤などを使用しないで加工できるので、衛生性も確保し易く、食品用を中心に広く使用されている。
特にカップケーキの生地をカップに入れ、カップごとオーブンで焼き上げたり、アイスクリームなどの冷凍用生地をカップに入れて、カップごと冷凍庫で固める、冷凍食品でカップごと蒸し焼きにするなどの使用にも利用されている。
近年は冷凍食品が家庭用にも利用され、弁当向けや老人などの個食用にも広く利用されるに及んで、カップ状のケースの需要が大きくなって来た。
そのようなカップケースでは、冷凍食品でカップごと蒸し焼きにするなどの時、必要量の水をカップに入れて、電子レンジに掛けて蒸す、などの使用に際して、入れる水の量を示す目安として、計量線があると便利である。
図５は、従来の一般的なカップケースの展開図（図５−１）と、それを使用して成形したカップケースの外観斜視図（図５−２）である。
図５−１で示すように、円形の底部３に対し、周壁部２は、放射状に周囲に向って山折り罫２１と谷折り罫２２が交互に形成されている。
また、図５−２で示すように、成形された周壁部２は、底部３側が狭く、周縁部側が広い個々の壁が、縦方向で山と谷を交互に並んで折り連なっていて、先端が外側に広がりながら立設した形状に形成されている。
【０００３】
これらの要望に対して、特許文献１では、シート基材が型成形されて周壁部と底部とが一体のカップ形態とされた使い捨てカップにおいて、前記周壁部の下部から途中高さにいたる部分が不透明とされ、前記周壁部の途中高さより上の部分が透明とされてなる使い捨てカップを提案している。
【０００４】
この特許文献１では、印刷で不透明の底部側と、透明の周壁部上側を分けているが、このように計量する境界線を付けると、見やすく、調理しやすいなどのメリットがある反面、
印刷インキの露出は好ましくない。印刷層の表裏を透明の樹脂フィルムで積層するなどの方法もあるが、接着剤を必要としたり、価格も上昇したりするなどの問題もある。
さらに、シート基材を金型で抜いて、成形金型に入れ、成形する場合、それぞれの工程で印刷位置がずれ易い。特に効率的に向上させる為、枚葉で、重ねて打ち抜くなどの場合には、印刷のずれは顕著であるなど、計量線を設けると、製造に際して、カップケースの持つメリットを生かせない問題があった。
【先行技術文献】
【特許文献】
【０００５】
【特許文献１】実用新案登録第３１５５９２１号公報
【発明の概要】
【発明が解決しようとする課題】
【０００６】
そこで、印刷によらず、型成形によって、安価で、高速で、かつ、衛生的であるメリットを失わないで製造可能であると共に、計量する計量線を有するカップケースを得ること
が、本発明の課題である。
【課題を解決するための手段】
【０００７】
本発明の請求項１に係るカップケースは、
シートが型成形されて、側壁と底部とが一体となったカップケースにおいて、
底部に平行な面を境に、側壁の上下で折り罫を非連続的に変化させ、
その変化した折り罫の境界線を計量線としたことを特徴とするカップケースである。
【０００８】
本発明のカップケースは、印刷によらず、型成形の金型で計量線を描くことができるので、生産性が高く、高速で、かつ、衛生的に問題が無く、かつ、位置ずれが生じない。
【０００９】
本発明の請求項２に係るカップケースは、側壁が縦の折り罫線で形成され、底部に平行な面を境に、側壁上側の折り罫線に対し、それぞれ下側の折り罫線を複数の縦罫線で形成していることを特徴とする請求項１に記載のカップケースである。
【００１０】
本発明のカップケースは、計量線が印刷によらず、かつ、計量線の上側はぴっちりした一本の縦罫線で形成されているのに比べ、下側の折り罫線は複数の縦罫線で成形されていて、ぼんやりとした罫線になっている。この為、計量線の上下の差は歴然として、目立った違いがあり、且つ、その違いが計量する線状に形成されているので、判別し易い。
【００１１】
本発明の請求項３に係るカップケースは、側壁が縦の折り罫線で形成され、底部に平行な面を境に、側壁上側に上側折り罫線を有し、底部側には、前記上側折り罫線を延長した延長罫線と共に、前記罫線の脇に、新たな縦の短罫線を有していることを特徴とする請求項１に記載のカップケースである。
【００１２】
本発明のカップケースは、計量線が印刷によらず、かつ、計量線の上側はぴっちりした一本の縦罫線で形成されているのに比べ、下側の折り罫線は脇に追加された縦罫線が平行に成形されていて、左右どちらかが、ぼんやりとした罫線になっている。この為、計量線の上下の差は歴然として、目立った違いがあり、且つ、その違いが計量する線状に形成されているので、判別し易い。
【００１３】
本発明の請求項４に係るカップケースは、側壁が縦の折り罫線で形成され、底部に平行な面を境に、側壁上側の折り罫線に対し、折り罫線の位置を周縁方向でずれた折り罫線で形成していることを特徴とする請求項１に記載のカップケースである。
【００１４】
本発明のカップケースは、計量線が印刷によらず、かつ、計量線の上側の縦罫線が一端切れて、その下方は周縁方向でずれた折り罫線で形成している。この為、計量線の上下の差は歴然として、目立った違いがあり、且つ、その違いが計量する線状に形成されているので、判別し易い。
【発明の効果】
【００１５】
本発明のカップケースは、印刷によらず、型成形の金型で計量線を描くことができるので、生産性が高く、高速で、かつ、衛生的に問題が無く、かつ、位置ずれが生じない。
【図面の簡単な説明】
【００１６】
【図１】本発明のカップケースの第１実施例を示す平面図と縦断面図である。
【図２】本発明のカップケースの第１実施例を示すシート基材の展開図と、成形したカップケースの外観斜視図である。
【図３】本発明のカップケースの第２実施例を示すシート基材の展開図と、成形したカップケースの外観斜視図である。
【図４】本発明のカップケースの第３実施例を示すシート基材の展開図と、成形したカップケースの外観斜視図である。
【図５】従来のカップケースの形態例を示すシート基材の展開図と、成形したカップケースの外観斜視図である。
【発明を実施するための形態】
【００１７】
以下、本発明のカップケースにおける実施の形態例について、図を用いて詳細に説明する。
図１は、本発明のカップケースの第１実施例を示す平面図（図１−１）と縦断面図（図１−２）である。
カップケース１は、シートを金型に挟んで圧力を掛け、側壁２と底部３とを形成した包装容器である。
カップケース１の側壁２は、内・外に交互に折り罫の向きを変化させ、蛇腹状に折り曲げられることによって、縦方向に強度を持たせると共に、側壁２が底部３に対して立ち上がり、一定の容積を確保できるようにしている。
本発明のカップケース１は、底部３に平行な面の、境界面４を境に、側壁２の上下で折り罫を非連続的に変化させている。
【００１８】
このカップケースは、数枚のシート基材を重ねた状態で、金型に入れ、一度にプレス機で押圧して製造する。重ねて同時にプレスして製造するので、互いがプレス時に周縁が噛み合って、離れにくくなる恐れがあるので、間に剥離用の紙などを挟んだりすることが好ましい。
剥離用の紙は、挟んだ状態でおくと、使用時に、各々のカップケースを外しやすく、傷つきにくいので、使用者にとっても便利である。
【００１９】
図２は、本発明のカップケースの第１実施例を示すシート基材の展開図（図２−１）と、成形したカップケースの外観斜視図（図２−２）である。
カップケース１に使用するシートは、アルミニウムなどの金属箔や金属シート、細かくこうかいした亜硫酸パルプを原料にローラーで高圧加工して圧縮・平滑化したグラシン、繊維が太くて長い針葉樹から作られこうかいして紙の目をつぶして耐油性や耐熱性、耐水性を向上させたＣＳＥ紙、ポリエチレンテレフタレートシートなどのプラスチックシートなどを使用して製造される。
このカップケースは、通常、数枚のシート基材を重ねた状態で、金型に入れ、一度にプレス機で押圧して、複数を同時に製造する。
【００２０】
図２−１で示すように、側壁２になる部分は、山折り罫２１と、谷折り罫２２とを交互になるように加工して、成形される。
側壁２の外周と底部３との間に、計量位置４０が設定され、計量位置４０より外周側には単純な山折り罫２１や谷折り罫２２が交互に形成されている。
しかし、計量位置４０より底部３側には複線からなる下山折り罫２１１や下谷折り罫２２１が交互に形成されている。
底部３と側壁２との境は、単純な山折り罫で形成され、底部３は、平滑な平面になっている。もちろん、底部面積が大きな場合、腰を付ける為に底部外周に相似形状（円形状）の山折り罫や、山折り罫と谷折り罫を合わせて加工してもかまわない。
【００２１】
図２−２は、図２−１の展開図で成形したカップケースの外観を示す斜視図で、側壁２の底部３に平行に上方に上がった位置に、折り罫のはっきり変化して違いのある部分が線状に並んで形成され、目で見て直ぐに判別が付く計量線４が形成されている。
計量線４から上側は単純な縦方向の山折り罫２１や谷折り罫２２によって蛇腹状に面が交互に向きを変えるように形成されており、計量線位置で一旦消えて、計量線４から下側は
２本の複線によってなだらかな縦方向の折り罫から構成されている。
その為、容器の内側においても、外側においても、計量位置が判別できると共に、印刷などを使用していないので、清楚で高級感がある容器になっている。
【００２２】
図３は、本発明のカップケースの第２実施例を示すシート基材の展開図（図３−１）と、成形したカップケースの外観斜視図（図３−２）である。
第２実施例では、図３−１の展開図で示すように、計量位置４０より底部３側の側壁２には従来の山折り罫２１の脇に並ぶように副山折り罫２１２が設けられ、かつ、谷折り罫２２の脇にも、副谷折り罫２２２が併設されている。
そして、それらの折り罫に、副山折り罫２１２や副谷折り罫２２２の周縁側先端が、底部と周縁との中間の計量線位置４０から始まって底部側までの範囲に形成されている。
【００２３】
図３−２の外観を斜視図でみると、しっかりとした山折り罫２１や谷折り罫２２の脇の右側に並んで、底部側に、副山折り罫２１２や副谷折り罫２２２があるので、計量位置ではっきり、カップケースの内側からも、外側からも底部３に平行な計量線４が認識できる。
【００２４】
図４は、本発明のカップケースの第３実施例を示すシート基材の展開図（図４−１）と、成形したカップケースの外観斜視図（図４−２）である。
第３実施例では、図４−１の展開図で示すように、計量位置４０で、周縁からの山折り罫２１や谷折り罫２２が一旦切れている。そして、計量位置４０から底部側に、周縁からの山折り罫２１や谷折り罫２２よりも円周方向にずれた位置で、底側山折り罫２１３、底側谷折り罫２２３が形成されている。
【００２５】
図４−２の外観を斜視図でみると、しっかりとした山折り罫２１や谷折り罫２２が、計量位置で、側壁２を形成する蛇腹状の山折り罫や谷折り罫が一旦切れてなくなり、半ピッチずれた状態で、再度底側山折り罫２１３、底側谷折り罫２２３が形成されている。
この為、計量位置ではっきり、カップケースの内側からも、外側からも底部３に平行な計量線４が認識できる。
【００２６】
本発明のカップケースは、以上のようなものであるが、計量線の上下の山折り罫や谷折り罫の変化を逆にしてもかまわない。
カップケース１に使用するシートは、先に記載したように、金属箔や金属シート、グラシン、ＣＳＥ紙、プラスチックシートなどを使用して製造される。
このカップケースは、数枚のシート基材を重ねた状態で、金型に入れ、一度にプレス機で押圧して製造する一般的なカップケースの製造工程と同じなので、生産性も高く、安価に製造できる。
しかも、印刷などの工程も無く、衛生的で、安価で、単にプレスの金型の変更だけで計量線を入れることができるだけではなく、カップケースの内側からも、外側からも、計量線位置が確認できるので、大変見やすく、便利であるなど、本発明のメリットは大きい。
【符号の説明】
【００２７】
１・・・・・・・・・カップケース
２・・・・・・・・・側壁
２１・・・・・・・・山折り罫
２１１・・・・・・・下山折り罫
２１２・・・・・・・副山折り罫
２１３・・・・・・・底側山折り罫
２２・・・・・・・・谷折り罫
２２１・・・・・・・下谷折り罫
２２２・・・・・・・副谷折り罫
２２３・・・・・・・底側谷折り罫
３・・・・・・・・・底部
【図１】
2018083644.tif 000003
【図２】
2018083644.tif 000004
【図３】
2018083644.tif 000005
【図４】
2018083644.tif 000006
【図５】
2018083644.tif 000007